(57)【要約】【課題】  選択されたジョブの画像出力待ち時間を短縮し、かつ、装置全体の電力容量の低下と省エネルギ化を実現する複写機、プリンタ、ファクシミリ等の複数の機能を備えた画像形成装置を提供する。【解決手段】  ユーザが選択した機能またはジョブ入力が行われた機能に係る構成のみをウォームアップするウォームアップ制御手段を備える。【選択図】        図１
2005297264.tif 000002
【特許請求の範囲】
【請求項１】
静電潜像担持体上に形成された静電潜像を現像剤担持体上に担持した現像剤層を用いて現像顕像化し、顕像化した画像を記録媒体に転写し、記録媒体上に転写されたトナー画像を、定着手段により定着して画像形成を行う画像形成装置において、
該画像形成装置は、複写機機能、プリンタ機能、および、ファクシミリ機能のうち少なくとも２つの機能を有するものであり、電源投入時、あるいはユーザ操作入力、またはジョブ入力により長期放置から復帰時に、ユーザが選択した機能、またはジョブ入力が行われた機能に係る構成のみをウォームアップするウォームアップ制御手段を備えていることを特徴とする画像形成装置。
【請求項２】
前記ウォームアップ制御手段は、前記ユーザが選択した機能またはジョブ入力が行われた機能以外の機能に係る構成のウォームアップを、該機能を必要としたユーザ操作入力またはジョブ入力があった時点で実施することを特徴とする請求項１に記載の画像形成装置。
【請求項３】
前記ウォームアップ制御手段は、前記ユーザが選択した機能またはジョブ入力が行われた機能以外の機能に係る構成のウォームアップを、前記ユーザが選択した機能、またはジョブ入力が行われた機能に係る構成のウォームアップの終了時から規定時間経過後に、実施することを特徴とする請求項１に記載の画像形成装置。
【請求項４】
前記ウォームアップ制御手段は、前記ユーザが選択した機能またはジョブ入力が行われた機能以外の機能に係る構成のウォームアップを、前記ユーザが選択した機能、またはジョブ入力が行われた機能に係るウォームアップが終了した後に実施されたジョブが終了した後に実施することを特徴とする請求項１に記載の画像形成装置。
【請求項５】
前記ウォームアップ制御手段は、前記ユーザが選択した機能またはジョブ入力が行われた機能以外の機能に係る構成のウォームアップを、前記ユーザが選択した機能、またはジョブ入力が行われた機能に係るウォームアップが終了した後に実施されたジョブの実行中に定着アラームがかかったときに実施することを特徴とする請求項４に記載の画像形成装置。
【請求項６】
前記ウォームアップ制御手段は、前記ユーザが選択した機能またはジョブ入力が行われた機能以外の機能に係る構成のウォームアップを、条件により選択し実施することを特徴とする請求項１に記載の画像形成装置。
【請求項７】
前記条件は、放置時間、外部環境、ジョブ種類であることを特徴とする請求項６に記載の画像形成装置。
【発明の詳細な説明】
【技術分野】
【０００１】
本発明は、電子写真プロセスを用いた画像形成装置に関し、特に１台の画像形成装置で、複写機、プリンタ、ファクシミリなどの複数の機能を備えた、複合機と呼ばれる画像形成装置に関する。
【背景技術】
【０００２】
近年、高度情報化技術の進展によりデジタル技術に基づく画像形成装置が発展し、複写機、プリンタ、ファクシミリ等の機能を統合したいわゆるデジタル複合機がオフィス等で多く使用されるようになってきた。このようなデジタル複合機は、通常、電子写真プロセスを用いたプリンタ部を備えており、ペーパ等の記録媒体上に転写、形成されたトナー像を加熱、加圧して転写体に溶融、固着する定着器を備えている。定着器は、ヒータ等の加熱手段を備えており、加熱手段により記録媒体上のトナー像の定着に適した温度（定着温度）になるように加熱、保温される。このような画像形成装置では、ユーザが電源投入後、定着器が加熱され、所定の温度に到達して画像形成が可能になるまでは待機しなければない。また、定着器以外の機構部も電源投入直後、あるいは待機状態から復帰し作動が可能になるまでに予備動作が必要とされる。このような画像形成装置の電源投入後、あるいはジョブ入力後に画像形成等の機能が実行可能になるまでの待機時間は、利便性や省エネルギの観点から短縮されることが望まれている。すなわち、ユーザが待たずにすぐ画像出力できるとともに、予備動作を行うに際して消費するエネルギに係るランニングコストの低減や、省エネルギ化で地球温暖化防止等の社会的要求にも応えることの可能な画像形成装置の要求がますます高まっている。
【０００３】
従来、この待機時間は、定着器が画像形成可能な温度に達するまでの定着器のウォームアップ時間に最も依存しており、以下のように定着器のウォームアップ時間を短縮する技術がこれまで検討されてきた。
【０００４】
定着器のウォームアップ時間を短縮させる技術としては、例えば、記録媒体のサイズおよび枚数から、形成する総画像面積を算出し、この総画像面積を定着するのに必要な定着器の温度を設定する方法（例えば特許文献１参照）や、原稿濃度からドット数をカウントしてトナー消費量を算出し、これに基づいて定着温度を設定する方法（例えば特許文献２参照）、あるいは、薄肉化により加熱部材の熱容量を低減させ、かつ、電磁誘導加熱定着方式と呼ばれる加熱方法を採用して、加熱効率を向上させる方法（例えば特許文献３参照）が挙げられる。
【０００５】
一方、電子写真方式の場合、朝一番などの長時間放置後に使用される場合などには現像剤や感光体の帯電特性や光感度特性が不安定であり、画像濃度過多や不足、または階調性の潰れや跳びなどの画質不具合が発生することがあった。これら不具合を防止するために、画像形成前で定着器のウォームアップが実施されている時に、数分間にわたり予備動作（現像剤の予備攪拌混合、感光体の帯電露光を行う予備回転）を実施し、この予備動作の後にテスト画像の顕像を感光体上に現像条件を変えて複数形成し、それらの濃度を検出し、適正な濃度が得られるように現像条件を補正する技術が提案されている（例えば特許文献４参照）。このような予備動作も、画像形成装置において良好な画像を形成するに必要な動作であり、広義のウォームアップ動作としてとして考慮されるべきものであるので、本発明ではこれらもウォームアップ動作あるいはウォームアップと称することとし、また本発明における画像形成装置における任意のジョブが選択されてから、そのジョブ機能が動作可能になるまでに要する時間をウォームアップ時間、任意のジョブが選択されてから、そのジョブ機能が動作可能になるまでに消費する電力をウォームアップ消費電力量と称することにする。
【０００６】
前述のように、定着器の省エネルギ、短時間ウォームアップ技術の進展により、短時間に定着器のウォームアップが完了するようになったが、新たな問題として、定着器以外の他のユニットの予備動作等のウォームアップ動作に要する時間が画像形成装置全体の待機時間短縮を制限する場合が発生するようになった。また、複写機、プリンタ、ファクシミリ等の複数の機能を備えた画像形成装置においては、すべての機能が動作できるためのウォームアップあるいは予備動作を同時に実施することになるのでさらに待機時間が長くなる。一方、大電力供給により待機時間を短縮させようとすると高い電力容量が必要になり、画像形成装置の設置条件に制約が生じることになる。しかし、これらの問題に関しては従来ほとんど考慮されてこなかった。
【特許文献１】特開平１０−３９６７４号公報
【特許文献２】特開平１１−１２５９８７号公報
【特許文献３】特開平７−２９５４１４号公報
【特許文献４】特開平１１−３８７００号公報
【発明の開示】
【発明が解決しようとする課題】
【０００７】
選択されたジョブの画像出力待ち時間を短縮し、かつ、装置全体の電力容量の低下と省エネルギ化を実現する、複写機、プリンタ、ファクシミリ等の複数の機能を備えた画像形成装置を提供する。
【課題を解決するための手段】
【０００８】
本発明者は、選択されたジョブに必要なウォームアップのみを選択実行することにより、上記の課題を達成できることを見出した。本発明は、特許請求の範囲に記載の下記の構成により達成される。
【０００９】
すなわち、請求項１に記載の発明は「静電潜像担持体上に形成された静電潜像を現像剤担持体上に担持した現像剤層を用いて現像顕像化し、顕像化した画像を記録媒体に転写し、記録媒体上に転写されたトナー画像を、定着手段により定着して画像形成を行う画像形成装置において、
該画像形成装置は、複写機機能、プリンタ機能、および、ファクシミリ機能のうち少なくとも２つの機能を有するものであり、電源投入時、あるいはユーザ操作入力、またはジョブ入力により長期放置から復帰時に、ユーザが選択した機能、またはジョブ入力が行われた機能に係る構成のみをウォームアップするウォームアップ制御手段を備えていることを特徴とする画像形成装置。」である。
【００１０】
請求項２に記載の発明は「前記ウォームアップ制御手段は、前記ユーザが選択した機能またはジョブ入力が行われた機能以外の機能に係る構成のウォームアップを、該機能を必要としたユーザ操作入力またはジョブ入力があった時点で実施することを特徴とする請求項１に記載の画像形成装置。」である。
【００１１】
請求項３に記載の発明は「前記ウォームアップ制御手段は、前記ユーザが選択した機能またはジョブ入力が行われた機能以外の機能に係る構成のウォームアップを、前記ユーザが選択した機能、またはジョブ入力が行われた機能に係る構成のウォームアップの終了時から規定時間経過後に、実施することを特徴とする請求項１に記載の画像形成装置。」である。
【００１２】
請求項４に記載の発明は「前記ウォームアップ制御手段は、前記ユーザが選択した機能またはジョブ入力が行われた機能以外の機能に係る構成のウォームアップを、前記ユーザが選択した機能、またはジョブ入力が行われた機能に係るウォームアップが終了した後に実施されたジョブが終了した後に実施することを特徴とする請求項１に記載の画像形成装置。」である。
【００１３】
請求項５に記載の発明は「前記ウォームアップ制御手段は、前記ユーザが選択した機能またはジョブ入力が行われた機能以外の機能に係る構成のウォームアップを、前記ユーザが選択した機能、またはジョブ入力が行われた機能に係るウォームアップが終了した後に実施されたジョブの実行中に定着アラームがかかったときに実施することを特徴とする請求項４に記載の画像形成装置。」である。
【００１４】
請求項６に記載の発明は「前記ウォームアップ制御手段は、前記ユーザが選択した機能またはジョブ入力が行われた機能以外の機能に係る構成のウォームアップを、条件により選択し実施することを特徴とする請求項１に記載の画像形成装置。」である。
【００１５】
請求項７に記載の発明は「前記条件は、放置時間、外部環境、ジョブ種類であることを特徴とする請求項６に記載の画像形成装置。」である。
【発明の効果】
【００１６】
本発明の請求項１に記載の発明によれば、選択されたジョブの画像出力待ち時間を短縮し、かつ、装置全体の電力容量の低下と省エネルギ化を実現する複写機、プリンタ、ファクシミリ等の複数の機能を備えた画像形成装置を提供することを可能にする。
【００１７】
請求項２に記載の発明によれば、常に必要最小限のウォームアップでジョブの実行が可能であり、消費電力の削減、装置全体の電力容量の抑制が可能である。
【００１８】
請求項３に記載の発明によれば、先ず、必要最小限のウォームアップで選択されたジョブの実行がなされ、さらに、その他機能のジョブについてのウォームアップが機能選択入力またはジョブ入力が行われた機能のウォームアップの終了後に実行されるので、その他機能のジョブの実行を機能選択入力またはジョブ入力が行われた機能の動作終了後、直ちに行うことを可能にする。
【００１９】
請求項４に記載の発明によれば、先ず、必要最小限のウォームアップで選択されたジョブの実行がなされ、さらに、その他機能のジョブについてのウォームアップが機能選択入力またはジョブ入力が行われた機能のジョブの終了後に実行されるので、その他機能のジョブの実行を機能選択入力またはジョブ入力が行われた機能の動作終了後、短い待ち時間のうちに行うことを可能にする。
【００２０】
請求項５に記載の発明によれば、先ず、必要最小限のウォームアップで選択されたジョブの実行がなされ、さらに、その他機能のジョブについてのウォームアップが、機能選択入力またはジョブ入力が行われた機能のジョブの実行中に定着アラームがかかったときに実行されので、その他機能のジョブのウォームアップに別途時間を必要とせず、短い待ち時間のうちにその他機能のジョブを行うことを可能にする。
【００２１】
請求項６および７に記載の発明によれば、先ず、必要最小限のウォームアップで選択されたジョブの実行がなされ、さらに、その他機能のジョブについてのウォームアップが機能選択入力またはジョブ入力が行われた機能のウォームアップの終了後に、放置時間、外部環境、ジョブ種類により選択実行されるので、画像形成装置の設置環境、使用条件に適合したウォームアップを可能にする。
【発明を実施するための最良の形態】
【００２２】
本発明を適用する画像形成装置について、構成と作用を図面に基づいて説明する。本実施例は、ディジタル方式の電子画像形成装置のシステムをベースとして、複写機、プリンタ、ファクシミリの機能を有するデジタル複合機に本発明を適用した例である。
【００２３】
図１は本発明における画像形成装置の一実施形態の構成を示すブロック図である。
【００２４】
図１において、１０は、画像処理部１０であり、画像情報を外部から受信、および、外部へ発信する機能と、受信した画像情報を一時収納する機能を有し、少なくともモデム１１、ＬＡＮインターフェイス１２、画像メモリ１３を備える。
【００２５】
２０は、読み取り部２０であり、原稿の読み取りを行う機能を有し、少なくとも原稿読み取り部２１、スキャナ部２２を備える。
【００２６】
３０は、画像装置制御部３０であり、画像形成装置全体の書き込み処理、読み取り処理、プリンタ部４０への画像情報伝達、画像出力オプション動作条件伝達等の作動制御、定着器温度、放置時間、外部環境、ジョブの種類等の各種条件の監視および記録、ウォームアップ条件設定／制御実施等のウォームアップの制御を行う機能を有し、少なくとも書き込み部／処理部３１、読み取り処理部３２およびウォームアップ制御部３３を備える。
【００２７】
４０は、プリンタ部４０であり、画像情報を記録媒体上に顕像を形成する機能を有し、少なくとも画像形成部４１、プリンタ制御部４２を備える。ここで、画像形成部４１は、画像情報を可視像に変換し、可視像を記録媒体に転写し、可視像を担持した記録媒体を加熱して記録媒体上の可視像を記録媒体に溶着し安定画像を形成する機能を有し、図２に示すように、少なくとも現像ユニット４１１、感光体ドラム４１２、帯電ユニット４１３、転写分離ユニット４１４、濃度検知部４１５、定着ユニット４１６を備える。
【００２８】
５０は、画像出力部５０であり、記録媒体の排紙、排紙にあたってのステイプル処理、ソーティング、パンチ穴開け、中折りあるいは三つ折り等の後処理を行う機能を有し、排紙皿、スタッカ、ステイプラ、パンチャー等から構成される。
【００２９】
６０は、表示操作部６０であり、電源開閉、各種ジョブ選択入力、ステイタス表示の機能を有し、電源スイッチ、各種入力キー、表示手段等から構成される。
【００３０】
図１の構成における画像形成装置の動作を説明する。
【００３１】
最初に、ユーザにより電源投入されると、ウォームアップ制御部３３がウォームアップ開始、および、表示操作部６０にウォームアップ中であることを示すメッセージの表示を指示する。画像形成装置の各部はウォームアップ制御部３３からの指示を受けてウォームアップを開始する。
【００３２】
〔ウォームアップ実施内容〕
表示操作部６０
表示操作回路の立ち上げと回路異常有無確認（給電状況、ヒューズ切れ有無）
液晶バックライト光源あるいはＣＲＴの点灯確認
ウォームアップ中であることをユーザに示すメッセージを表示
読み取り部２０
原稿読み取り露光ランプの点灯および光量確認
スキャナの動作とホームポジションへの移動確認
ＣＣＤ立ち上げと回路異常有無確認（給電状況、ヒューズ切れ有無）
画像処理部１０
通信回路立ち上げと回路異常有無確認（給電状況、ヒューズ切れ有無）
画像メモリ部のメモリ初期消去
画像装置制御部３０
画像制御回路の立ち上げと回路異常有無確認（給電状況、ヒューズ切れ有無）
各ユニットのウォームアップ状況確認
本体機内の紙残り有無確認
プリンタ部４０
定着ユニットのウォームアップ
現像剤の予備攪拌
静電像担持体の予備回転、予備露光
画像濃度補正、階調補正
画像出力部５０
各機能部の動作とホームポジションへの移動確認
本体機内の紙残り有無確認
上記が実行され、定着器温度が所定値に達するとウォームアップ制御部３３はウォームアップ動作を終了させ、表示操作部のウォームアップオームアップ中であることを示すメッセージの表示を取りやめて、ジョブの動作を可能にする。従来機種においては、ジョブの種類にかかわらずすべてのユニットのウォームアップを実施しており、そのときのウォームアップ時間、およびウォームアップ消費電力量を表１に示す。
【００３３】
【表１】
2005297264.tif 000003
【００３４】
画像形成装置は通常のオフィス環境では間断なく使用される事は少なく、コピー、プリンタ、ファクシミリともにユーザーが必要の都度、必要な機能を選択して使用されるのが普通である。そして、選択された機能における動作が終了し、新たな機能が選択されるまでの間は、画像形成装置は選択される機能に対応できるような体制で待機することになる。新たな機能が選択されたときには、選択された機能による画像形成が迅速に行われることが望ましいが、そのためには、待機中でも装置各部に電力を供給している必要があり、エネルギ消費が継続される。しかし、このようなエネルギ消費はいわば無駄であり、待機中におけるエネルギ消費を抑制する機能が導入されている。すなわち、ある機能部の動作が終了し、次の機能が選択、実行されるまでにあらかじめ設定された基準時間が経過すると、自動的に定着器に供給する駆動電力を待機電力まで削減したり、画像表示部の表示を切り替える等、待機時間中の電力消費を抑制するように動作する機能を備える画像形成装置が普及するようになった。このような電力消費を抑制しつつ待機する機能を、スタンバイモード、あるいはオートシャットオフ等と呼んでおり、この機能動作中に新たな機能の使用が選択されたときに、電力の再供給を行ってウォームアップを行い、ウォームアップ動作終了後にその機能が実行できるようになるものである。
【００３５】
ところで、このようなウォームアップ動作には、選択、使用する機能によっては行わなくても良いものがある。例えばファクシミリの発信の場合にはプリンタ部を動作させる必要がなく、定着器を含むプリンタ部をウォームアップする必要はない。すなわち、複合機が特定の機能を選択された場合には、その機能を動作させる構成部分が使用できれば良く、ウォームアップは選択、使用する機能に係る部分のみを行えば良いことになる。本発明は、複合機である画像形成装置において、選択された機能に係る構成部分のみをウォームアップすることにより、ウォームアップ時間を短縮し、かつ、装置全体の電力容量の低下と省エネルギ化の実現を図るものである。
【００３６】
本発明の実施例において各ジョブが選択されたときに、各ジョブが実行されるために必要なウォームアップを表２に示す。
【００３７】
【表２】
2005297264.tif 000004
【００３８】
表２において、複写機、プリンタ、ファクシミリのうち１つのジョブがユーザにより選択されたときにウォームアップを実施するユニットに○印を付している。例えば、ジョブとしてプリンタが選択された場合には、表示操作部、画像処理部の画像メモリ、画像装置制御部の書き込み部／処理部とウォームアップ制御部、プリンタ部、画像出力部はプリンタ使用時には使用される機構部でウォームアップを必要とする個所であり、○印が付されている。一方、読み取り部、画像処理部のモデムとＬＡＮ  ＩＦ、画像装置制御部の読み取り処理部はプリンタ使用時には使用されない機構部であるのでウォームアップの必要はなく、○印が付されていない。同様に、ジョブとして複写機、あるいはＦＡＸが選択されたときのウォームアップを実施するユニットに○印が付されている。そして、これら選択されたジョブにおけるウォームアップが必要なユニットの選定、ウォームアップの実行指示、ウォームアップ状況の監視、ウォームアップが終了したか否かの判定、ウォームアップの終了の指示はウォームアップ制御部によりなされる。なおウォームアップ制御部自身はウォームアップの必要はないが、表２にはウォームアップ制御部もウォームアップ動作に係わる機能部として記載されている。
【００３９】
本実施例においては各ジョブが選択されたときには、ウォームアップ制御部により表２の記載内容のウォームアップを選択実行している。そして、各ジョブにおけるウォームアップ実施個所、および、各ジョブが選択されたときのウォームアップ時間に、およびウォームアップ消費電力量を表３に示す。
【００４０】
【表３】
2005297264.tif 000005
【００４１】
表３に示すように、複写機使用に対してプリンタ、ＦＡＸがジョブとして選択されたときにはウォームアップ時間の短縮およびウォームアップ消費電力量の削減がなされ、本発明の有効性が確認された。また、同時に行なわれるウォームアップを最小にしているので、装置全体の電力容量の抑制も実現している。
【００４２】
なお、各ジョブにおけるウォーミングアップ実施個所の選択は上記実施例に限られることなく、本発明の技術思想の範囲で種々変更が可能である。
【００４３】
ところで、前記ユーザ操作による機能選択入力、またはジョブ入力が行われた機能以外の機能に係る構成のウォームアップ（以下、その他機能のウォームアップと記す）については、以下に記す方式のウォームアップが可能である。その他機能のウォームアップをどのように行うかは、これらの方式の中から画像形成装置の使用形態により好適な方式を選択すると良い。
【００４４】
〔その他機能のウォームアップ−方式１〕
ユーザ操作による機能選択入力、またはジョブ入力が行われた機能以外の機能に係る構成のウォームアップを、該機能を必要としたユーザ操作入力またはジョブ入力があった時点で実施する。この方式によれば、常に必要最小限のウォームアップでジョブの実行が可能であり、ウォームアップ消費電力の削減、装置全体の電力容量の抑制が可能である。
【００４５】
〔その他機能のウォームアップ−方式２〕
ユーザ操作による機能選択入力またはジョブ入力が行われた機能以外の機能に係る構成のウォームアップを、前記ユーザ操作入力またはジョブ入力が行われた機能に係る構成のウォームアップの終了時から規定時間経過後に実施する。この方式によれば、先ず、必要最小限のウォームアップで選択されたジョブの実行がなされ、さらに、その他機能のジョブについてのウォームアップが機能選択入力またはジョブ入力が行われた機能のウォームアップの終了後に実行されるので、その他機能のジョブの実行を機能選択入力またはジョブ入力が行われた機能の動作終了後、直ちに行うことを可能にする。
【００４６】
〔その他機能のウォームアップ−方式３〕
ユーザ操作入力またはジョブ入力が行われた機能以外の機能に係る構成のウォームアップを、前記ユーザ操作入力またはジョブ入力が行われた機能に係る構成のウォームアップが終了した後に実施された１回目のジョブ終了後に実施する。この方式によれば、先ず、必要最小限のウォームアップで選択されたジョブの実行がなされ、さらに、その他機能のジョブについてのウォームアップが機能選択入力またはジョブ入力が行われた機能のジョブの終了後に実行されるので、その他機能のジョブの実行を機能選択入力またはジョブ入力が行われた機能の動作終了後、短い待ち時間のうちに行うことを可能にする。
【００４７】
〔その他機能のウォームアップ−方式４〕
ユーザ操作入力またはジョブ入力が行われた機能以外の機能に係る構成のウォームアップを、前記ユーザ操作入力またはジョブ入力が行われた機能に係る構成のウォームアップが終了した後に実施された１回目のジョブ中に定着アラームがかかったときに実施する。ここで、定着アラームとは、大量の画像形成を連続で行うような場合、作像動作により定着器の温度が低下し、ついには定着性能が不十分になるに至ることがあるが、このようなときに、定着器の温度が回復するまでの間、作像作動を含む画像形成装置の動作を一時的に停止させるとともにその旨の表示を行う動作をいう。この方式によれば、先ず、必要最小限のウォームアップで選択されたジョブの実行がなされ、その他機能のジョブについてのウォームアップは、機能選択入力またはジョブ入力が行われた機能のジョブの実行中に定着アラームがかかったときに実行されるので、その他機能のジョブのウォームアップのため別途時間を必要とせず、その他機能のジョブを短い待ち時間のうちに行うことを可能にする。
【００４８】
〔その他機能のウォームアップ−方式５〕
ユーザ操作入力またはジョブ入力が行われた機能以外の機能に係る構成のウォームアップを、条件により選択し実施する。その条件は、放置時間、外部環境、ジョブ種類である。この方式によれば、先ず、必要最小限のウォームアップで選択されたジョブの実行がなされ、さらに、その他機能のジョブについてのウォームアップが機能選択入力またはジョブ入力が行われた機能のウォームアップの終了後に、放置時間、外部環境、ジョブ種類により選択実行されるので、画像形成装置の設置環境、使用条件に適合したウォームアップを可能にする。
【００４９】
上述のように、本発明により、選択されたジョブの画像出力待ち時間を短縮し、かつ、装置全体の電力容量の低下と省エネルギ化を実現する複写機、プリンタ、ファクシミリ等の複数の機能を備えた画像形成装置を提供することが可能になる。
【図面の簡単な説明】
【００５０】
【図１】本発明の画像形成装置の一実施形態を示す構成図である。
【図２】画像形成部４１の構成を示すブロック図である。
【符号の説明】
【００５１】
１０  画像処理部
１１  モデム
１２  ＬＡＮインターフェイス
１３  画像メモリ
２０  読み取り部
２１  原稿読み取り部
２２  スキャナ部
３０  画像装置制御部
３１  書き込み部／処理部
３２  読み取り処理部
３３  ウォームアップ制御部
４０  プリンタ部
４１  画像形成部
４２  プリンタ制御部
５０  画像出力部
６０  表示操作部
【図１】
2005297264.tif 000006
【図２】
2005297264.tif 000007